(57)【特許請求の範囲】
【請求項１】
裁断刃でシート材を裁断する裁断部の下流に設置され、前記裁断部での裁断により前記シート材に付着したダストを前記裁断部から離間した下流で捕集するダスト捕集装置であって、
前記ダスト捕集装置は、
裁断されたシート材の一面が前記裁断部の下流で接触する接触部材と、
前記接触部材のシート材接触面の前記シート材の前記裁断部での裁断位置と対応する位置に設けられた、前記ダストを吸引する吸引口と、
を具備し、
前記接触部材が円筒ロールからなり、
前記円筒ロールの外周面が前記シート材接触面になっていること
を特徴とするダスト捕集装置。
【請求項２】
前記円筒ロールは、
一端が前記吸引口に臨み、他端が吸引手段に接続される前記円筒ロールの半径方向に形成された複数の吸引孔を有し、
前記吸引手段は、
前記円筒ロールの内側に配置された固定の吸引筒と、
前記吸引筒の外周面に一体に設けられて前記円筒ロールの内周面に摺接し、前記吸引孔の他端がその内部に臨む吸引ボックスと、
前記吸引筒内と前記吸引ボックスとを連通接続する連通孔と、
を具備することを特徴とする請求項１に記載のダスト捕集装置。
【請求項３】
請求項１または２に記載されたダスト捕集装置を有することを特徴とする裁断装置。
【発明の詳細な説明】
【技術分野】
【０００１】
本発明は、紙やプラスチックフィルムなどのシート材の裁断時に発生するダストの捕集装置と該装置を有する裁断装置に関し、特に、裁断されたシート材の裁断端部やその周辺に付着している裁断屑等のダストを効果的に除去できるようにしたものである。
【背景技術】
【０００２】
従来、例えば製紙工場やプラスチックフィルム工場などでは、紙製あるいはプラスチック製の長尺シート材を、その幅方向に裁断して短尺の平判に仕上げたり、シート材長さ方向に沿って裁断して小幅のシート材に仕上げたりしている。また、裁断時には裁断屑などのダストが発生するので、かかるダストを捕集する装置が使用されている。
【０００３】
裁断時に発生するダストの捕集装置としては、例えば、特許文献１に開示されたダスト捕集装置が知られている。同文献１のダスト捕集装置は、裁断されたシート材の表面にエアー（処理空気）を吹き付け、そのエアーの流れをコアンダ効果によって空気回収部へ導くことにより、シート材の表面に付着しているダストを捕集するというものである。
【０００４】
しかしながら、特許文献１に開示されている従来のダスト捕集装置によると、前記の通り、裁断されたシート材の表面にエアーを吹き付け、そのエアーの流れをコアンダ効果によって空気回収部へ導く構成であるため、裁断されたシート材の表面に付着したダストは除去可能であるが、裁断されたシート材の裁断端面に付着したダストを効果的に除去することはできず、ダストを含んだ不良品が発生する問題を完全に解消するには至っていない。
【０００５】
前記のように除去されなかった裁断端面のダストがシート材の表面に再付着したら、シート材の表面に印刷を施したときに、ダストの部分がスポット的に白抜けの白点になる等、印刷不良が生じる。また、裁断端面のダストが例えばインクジェット印刷機のインク吐出ノズルに再付着したら、インク吐出ノズルの目詰まりによって印刷不良が生じる等の問題を引き起こす。
【先行技術文献】
【特許文献】
【０００６】
【特許文献１】特開２００６−２６７５２号公報
【発明の概要】
【発明が解決しようとする課題】
【０００７】
本発明は前記問題点を解決するためになされたもので、その目的とするところは、裁断されたシート材の裁断端面やその周辺に付着している裁断屑等のダストを効果的に除去できるダスト捕集装置と該装置を有する裁断装置を提供することにある。
【課題を解決するための手段】
【０００８】
前記問題点を解決するために、本発明は、裁断刃でシート材を裁断する裁断部の下流に設置され、前記裁断部での裁断により前記シート材に付着したダストを前記裁断部から離間した下流で捕集するダスト捕集装置であって、前記ダスト捕集装置は、裁断されたシート材の一面が前記裁断部の下流で接触する接触部材と、前記接触部材のシート材接触面の前記シート材の前記裁断部での裁断位置と対応する位置に設けられた、前記ダストを吸引する吸引口と、を具備し、前記接触部材が円筒ロールからなり、前記円筒ロールの外周面が前記シート材接触面になっていることを特徴とする。
【００１０】
前記円筒ロールは、一端が前記吸引口に臨み、他端が吸引手段に接続される前記円筒ロールの半径方向に形成された複数の吸引孔を有し、前記吸引手段は、前記円筒ロールの内側に配置された固定の吸引筒と、前記吸引筒の外周面に一体に設けられて前記円筒ロールの内周面に摺接し、前記吸引孔の他端がその内部に臨む吸引ボックスと、前記吸引筒内と前記吸引ボックスとを連通接続する連通孔と、を具備して構成することができる。また、前記円筒ロールの外周面には、前記シート材の裁断位置と対応する位置に、環状溝が複数形成されていて、これらの環状溝の上部開口が前記吸引口として機能するように構成することができる。
【００１２】
前記ダスト捕集装置を有することを特徴とする裁断装置も本発明に含まれる。
【発明の効果】
【００１３】
本発明にあっては、前記の通り、裁断刃でシート材を裁断する裁断部の下流に設置され、前記裁断部での裁断により前記シート材に付着したダストを前記裁断部から離間した下流で捕集するダスト捕集装置であって、前記ダスト捕集装置は、裁断されたシート材の一面が前記裁断部の下流で接触する接触部材と、前記接触部材のシート材接触面の前記シート材の前記裁断部での裁断位置と対応する位置に設けられた、前記ダストを吸引する吸引口と、を具備し、前記接触部材が円筒ロールからなり、前記円筒ロールの外周面が前記シート材接触面になっている構成を採用した。このため、吸引口の吸引力によってシート材の裁断端部が強制的に当該吸引口に吸い込まれるようになって、シート材の裁断端面やその周辺に付着している裁断屑等のダストが効果的に吸引・除去される。従って、ダストの付着による不良品の発生が減り、ダストに起因した印字不良も減る等の作用効果が奏し得られる。
【図面の簡単な説明】
【００１４】
【図１】本発明の一実施形態であるダスト捕集装置を適用した裁断装置要部の正面図。
【図２】図１に示したダスト捕集装置の拡大断面図。
【図３】裁断刃によるシート材の裁断位置と吸引口との位置関係の説明図。
【図４】裁断刃による裁断動作の説明図。
【図５】図２のＡ−Ａ断面拡大図。
【図６】本発明の他の実施形態であるダスト捕集装置の斜視図。
【発明を実施するための形態】
【００１５】
以下、本発明を実施するための最良の形態について、添付した図面を参照しながら詳細に説明する。
【００１６】
図１は本発明の一実施形態であるダスト捕集装置を適用した裁断装置要部の正面図、図２は図１に示したダスト捕集装置の拡大断面図、図３は裁断刃によるシート材の裁断位置と吸引口との位置関係の説明図、図４は裁断刃による裁断動作の説明図、図５は図２のＡ−Ａ断面拡大図、図６は本発明の他の実施形態であるダスト捕集装置の斜視図である。
【００１７】
＜裁断装置の概要＞
図１の本裁断装置Ｍは、連続する長尺のシート材Ｓを移送する移送手段１と、シート材Ｓの移送路の途中に設けた裁断部２と、そのシート材移送路の裁断部２下流に設置したダスト捕集装置３とを備えている。
【００１８】
＜移送手段の詳細＞
移送手段１は、シート材Ｓのロールをセットしてある図示しない繰出しロールからシート材Ｓを繰出し、裁断部２へ移送するドライブロール１０及びニップロール１１と、裁断部２で裁断したシート材Ｓを図示しない巻取りロールへ誘導するガイドロール１２とを備えている。
【００１９】
＜裁断部の詳細＞
裁断部２は、ニップロール１１と第２のガイドロール１２との間に位置し、シート材移送路を挟んで上下に対向する一対の裁断刃２０、２１を有している。これら一対の裁断刃２０、２１は、いずれも円形の刃物であって、シート材Ｓの幅方向（シート材Ｓの移送方向Ｆと直交する方向）に所定ピッチで複数配置されている（図３参照）。
【００２０】
各裁断刃２０、２１は、それぞれ個別にシート材Ｓの移送方向Ｆと直交する駆動軸ＡＸ１、ＡＸ２を有しており、下側の裁断刃２０は、前記駆動軸ＡＸ１の外周に取り付けることで、該駆動軸ＡＸ１を中心に回転駆動されるように構成してある。また、上側の裁断刃２１も同様に、前記駆動軸ＡＸ２の外周に取り付けることで、該駆動軸ＡＸ２を中心に回転駆動されるように構成してある。そして、両裁断刃２０、２１の刃先が図４のように相互に擦れ違って回転することにより、シート材Ｓはその長さ方向に沿って裁断されて小幅のシート材になる。
【００２１】
＜ダスト捕集装置の詳細＞
本ダスト捕集装置３は、図２に示したように、裁断されたシート材Ｓの一面が接触する接触部材４を有し、接触部材４のシート材接触面４Ａには、シート材Ｓの裁断位置Ｐ（図３参照）と対応する位置に、ダストを吸引する吸引口５を設けてある。
【００２２】
接触部材４の具体的な構成として、本ダスト捕集装置３では、シート材Ｓの移送方向Ｆに直交する駆動軸ＡＸ３（図３参照）で回転可能に支持された円筒ロール４０を採用し、その円筒ロール４０の外周面を、シート材接触面４Ａとして、裁断されたシート材Ｓが接触しながら通過するように構成してある。
【００２３】
図３に示したように、円筒ロール４０の外周面（シート材接触面４Ａ）には、シート材Ｓの裁断位置Ｐと対応する位置に、環状溝４１（図５参照）を複数形成してある。環状溝４１の底部には吸引孔４２が穿設されており、この円筒ロール４０の吸引孔４２が後述する図２の吸引手段４３の吸引ボックス４５に所定タイミングで連通接続されることにより、前記環状溝４１の上部開口が吸引口５として機能するようになっている。環状溝４１は、下刃（下側の裁断刃２０）の刃先のピッチと合致するピッチで設けることが好ましい。吸引孔４２は、１つの環状溝４１の円周面積の５〜９０％を占めるように設けることが好ましく、１０〜６０％を占めることがさらに好ましい。５％未満だと全体の吸引力が不足する場合があり、９０％を超えると吸引力が分散されるため、１つの吸引孔４２の吸引力が弱まる場合がある。
【００２４】
図２の吸引手段４３は、吸引口５に吸引力を生じさせる手段であって、具体的には、図示しないフレーム等に取り付けられて円筒ロール４０の内側に配置された固定の吸引筒４４と、吸引筒４４の外周面に一体に設けられて円筒ロール４０の内周面に摺接する吸引ボックス４５と、吸引筒４４内と吸引ボックス４５内とを連通接続する連通孔４６と、吸引筒４４の一端に図示しない吸引ホースを介して接続された公知の吸引ブロアー等からなる吸引機（図示省略）とから構成される。
【００２５】
そして、前記吸引機の吸引力が前記吸引ホース内、吸引筒４４内、連通孔４６、吸引ボックス４５内、および吸引孔４２を通じて吸引口５（環状溝４１の上部開口）に作用することにより、吸引口５は、エアーや同エアー中のダストを吸引できるようになっている。
【００２６】
特に、本ダスト捕集装置３では、円筒ロール４０の外周面（シート材接触面４Ａ）全体のうちシート材Ｓが実際に接触する範囲（有効接触範囲Ｃ）に無駄なく吸引力を集中させるため、図２のように円筒ロール４０内における吸引ボックス４５の設置位置を調整することによって、有効接触範囲Ｃ内で円筒ロール４０の吸引孔４２と吸引ボックス４５とが連通接続されるように構成してある。
【００２７】
＜裁断装置の動作説明＞
次に、上記の如く構成された図１の裁断装置Ｍの動作について図５を参照しながら説明する。
【００２８】
図１の裁断装置Ｍでは、図示しない始動スイッチのオンにより、一対の裁断刃２０、２１が回転し、ドライブロール１０によって図示しない繰出しロールからシート材Ｓが繰出され、繰出されたシート材Ｓは、回転する一対の裁断刃２０、２１間を通過する際に裁断される。裁断されたシート材Ｓは、円筒ロール４０（接触部材４）の外周面（シート材接触面４Ａ）を約半周ほど回ってガイドロール１２へ進み、ガイドロール１２を経由して最終的に図示しない巻取りロールで巻き取られる。
【００２９】
裁断時にシート材Ｓから発生した裁断屑等のダストＤは、図５のように裁断されたシート材Ｓの裁断端面に付着する場合がある。裁断されたシート材Ｓの裁断端部は、円筒ロール４０（接触部材４）の外周面（シート材接触面４Ａ）を通過するときに、吸引口５の吸引力によって図５のように強制的に吸引口５内に吸い込まれ、吸引口５内に垂れ下がることから、シート材Ｓの裁断端面やその周辺に付着しているダストＤは、吸引口５から吸引孔４２の方向に効果的に吸い込まれる。
【００３０】
図６は本発明の他の実施形態であるダスト捕集装置の斜視図である。
【００３１】
図６のダスト捕集装置３では、接触部材４の具体的な構成として、図示しないフレームに取り付けられた固定の吸引ノズル４８を採用し、そのノズル先端面を、シート材接触面４Ａとして、裁断されたシート材Ｓが接触しながら通過するように構成してある。
【００３２】
このノズル先端面（シート材接触面４Ａ）の複数の吸引口５もまた、図２のダスト捕集装置３の吸引口５と同じく、シート材Ｓの裁断位置Ｐと対応する位置に設けてある。また、本吸引ノズル４８は図示しない吸引ホースを介して吸引機（図示省略）に接続されており、その吸引機の吸引力が吸引ホースを介して当該ノズル先端面の吸引口５に作用することにより、当該ノズル先端面の吸引口５は、シート材Ｓの裁断端面やその周囲に付着しているダストを吸引できるようになっている。
【００３３】
図６のダスト捕集装置３においても、裁断されたシート材Ｓの裁断端部は、前記吸引ノズル４８（接触部材４）のノズル先端面（シート材接触面４Ａ）を通過するときに、そのノズル先端面の吸引口５の吸引力によって強制的に吸引口５内に吸い込まれ、吸引口５内に垂れ下がるから、図２のダスト捕集装置３と同じく、シート材Ｓの裁断端面やその周辺に付着しているダストＤは、吸引口５内に効果的に吸い込まれる。
【００３４】
図２のダスト捕集装置３では円筒ロール４０が回転する構成を採用したが、この円筒ロール４０は図２の位置で固定される形式を採用することもできる。
【符号の説明】
【００３５】
Ｃ  有効接触範囲
Ｍ  裁断装置
Ｓ  シート材
Ｆ  シート材の移送方向
１  移送手段
１０  ドライブロール
１１  ニップロール
１２  ガイドロール
２  裁断部
２０、２１  裁断刃
３  ダスト捕集装置
４  接触部材
４Ａ  シート材接触面
４０  円筒ロール
４１  環状溝
４２  吸引孔
４３  吸引手段
４４  吸引筒
４５  吸引ボックス
４６  連通路
４８  吸引ノズル
【図１】
0005545941.tif 000002
【図２】
0005545941.tif 000003
【図３】
0005545941.tif 000004
【図４】
0005545941.tif 000005
【図５】
0005545941.tif 000006
【図６】
0005545941.tif 000007